(57)【要約】【課題】上部建造物の底面と下部建造物の上面とのクリアランスを大きく変えることなく、着脱可能な支承装置及びその取付方法を提供することを目的とする。【解決手段】上部建造物１１０の底面に配置した上沓２、及び下部建造物１００の上面に配置した下沓３で構成するとともに、上沓２及び下沓３の対向部分である摺動面が摺動する支承装置１であって、下沓３が、下部建造物１００に固定するベースプレート４０と、摺動面を構成するピストン３１を保持するベースポット本体３３とを有し、ベースプレート４０に対してベースポット本体３３を水平方向から嵌入する嵌合溝４１を備えた。【選択図】図２
2018071701.tif 000002
【特許請求の範囲】
【請求項１】
上部建造物の底面に配置した上沓、及び下部建造物の上面に配置した下沓で構成されるとともに、前記上沓及び前記下沓の対向部分である摺動面が摺動する支承装置であって、
前記上沓と前記下沓のうち少なくとも一方が、
建造物に固定する固定基材と、
摺動面を有する摺動面部材を保持する保持部材とを有し、
前記下沓で前記上沓を支持する支持方向に対して交差する交差方向から、前記固定基材に対して前記保持部材が嵌入される嵌入手段を備えた
支承装置。
【請求項２】
前記上沓と前記下沓のうち少なくとも一方が、所定位置まで嵌入された前記保持部材の前記固定基材に対する位置を規制する位置規制手段をさらに備えた
請求項１に記載の支承装置。
【請求項３】
前記嵌入手段が、
前記固定基材に備えられ、前記交差方向の外部から前記所定位置まで延びる被嵌合部と、前記保持部材に備えられ、前記被嵌合部に対してスライド可能に嵌合する嵌合部とで構成され、
前記位置規制手段が、
前記摺動面に平行な平行方向への前記嵌合部の移動によって位置を規制する構成である
請求項１又は請求項２に記載の支承装置。
【請求項４】
前記被嵌合部が、前記固定基材における前記保持部材との対向面に設けられた被嵌合溝であり、
前記嵌合部が、前記保持部材における前記固定基材との対向面に設けられ、前記固定基材に向かって突出する嵌合突出部であり、
前記位置規制部が、前記所定位置まで嵌入した前記嵌合部の回転移動によって位置を規制する構成である
請求項３に記載の支承装置。
【請求項５】
位置を規制するために前記保持部材を移動させる前記所定位置及び前記保持部材の嵌入位置を明示する明示手段が備えられた
請求項３または４に記載の支承装置。
【請求項６】
上部建造物の底面に配置した上沓、及び下部建造物の上面に配置した下沓で構成されるとともに、前記上沓及び前記下沓の対向部分である摺動面が摺動する支承装置の取付方法であって、
建造物に固定する固定基材と、前記摺動面を有する摺動面部材を保持する保持部材とで構成された前記上沓と前記下沓のうち少なくとも一方において、
前記下沓で前記上沓を支持する支持方向に対して交差する交差方向から、前記固定基材に対して前記保持部材を嵌入する嵌入工程と、
所定位置まで嵌入された前記保持部材を前記固定基材に対する位置を規制する位置規制工程とを含む
支承装置の取付方法。
【請求項７】
前記嵌入工程において、
前記固定基材に備えられ、前記交差方向の外部から前記所定位置まで延びる被嵌合部に、前記保持部材に備えられた嵌合部を前記被嵌合部に対してスライド可能に嵌合し、
前記位置規制工程において、
前記摺動面に平行な平行方向への前記嵌合部の移動によって位置を規制する
請求項６に記載の支承装置の取付方法。
【発明の詳細な説明】
【技術分野】
【０００１】
この発明は、例えば、下部建造物で上部建造物を支持する支承構造において、下部建造物及び上部建造物の間に介在させる建設分野における支承装置及びその取付方法に関する。
【背景技術】
【０００２】
従来より、例えば、免震建造物、橋梁、あるいは固定建造物同士を接続する接続部分等の振動や相対変位が生じる建造物において、可動支持する支承装置がある。例えば、特許文献１に示すような支承装置は、建物等の被支持建造物と、基礎等の支持建造物との間に配設され、被支持建造物に固定された上沓と、支持建造物に固定された下沓との境界面、つまり摺動面が摺動することで、境界面における面内方向に変位可能に支持することができる。
【０００３】
このような支承装置２００は、例えば、図１０に示すように、下部建造物１００の上面に固定された下沓２１０と、上部建造物１１０の底面に固定された上沓２２０とで構成され、下沓２１０と上沓２２０の対向面が摺動自在に構成されている。  
なお、図１０において、左半分は概略正面図を示し、右半分は概略断面図を示している。
【０００４】
下沓２１０は、下部建造物１００の上面に固定されるベースプレート２１１と、ベースプレート２１１に固定されたベースポット２１２と、ベースポット２１２の上面に配置され、摺動面を構成するピストン２１３とで構成され、ベースプレート２１１の周辺部や四隅に配置されたボルトなどの締結治具２１４によって下部建造物１００の上面に固定されている。
【０００５】
しかしながら、下沓２１０の上部には、上沓２２０が配置されているため、下部建造物１００の上面と上沓２２０との間に配置される下沓２１０を設置する場合や、ピストン２１３を交換するために下沓２１０を取り外す場合などにおいては、締結治具２１４が上部の上沓２２０と接触し、つまり上沓２２０が支障し、締結治具２１４をボルト孔に挿入できない、あるいは締結治具２１４をボルト孔から外すことができないなどの問題があった。そのため、上部建造物１１０をジャッキアップ等によって大きく持ち上げ、上部建造物１１０の底面と下部建造物１００の上面とのクリアランスを拡大させてから、締結治具２１４を締結する、あるいは取り外すなどの作業が必要であった。
【先行技術文献】
【特許文献】
【０００６】
【特許文献１】特開２００１−１６５２３７号公報
【発明の概要】
【発明が解決しようとする課題】
【０００７】
そこで本発明では、上部建造物の底面と下部建造物の上面とのクリアランスを大きく変えることなく、着脱可能な支承装置及びその取付方法を提供することを目的とする。
【課題を解決するための手段】
【０００８】
この発明は、上部建造物の底面に配置した上沓、及び下部建造物の上面に配置した下沓で構成されるとともに、前記上沓及び前記下沓の対向部分である摺動面が摺動する支承装置であって、前記上沓と前記下沓のうち少なくとも一方が、建造物に固定する固定基材と、摺動面を有する摺動面部材を保持する保持部材とを有し、前記下沓で前記上沓を支持する支持方向に対して交差する交差方向から、前記固定基材に対して前記保持部材が嵌入される嵌入手段を備えたことを特徴とする。
【０００９】
またこの発明は、上部建造物の底面に配置した上沓、及び下部建造物の上面に配置した下沓で構成されるとともに、前記上沓及び前記下沓の対向部分である摺動面が摺動する支承装置の取付方法であって、建造物に固定する固定基材と、前記摺動面を有する摺動面部材を保持する保持部材とで構成された前記上沓と前記下沓のうち少なくとも一方において、前記下沓で前記上沓を支持する支持方向に対して交差する交差方向から、前記固定基材に対して前記保持部材を嵌入する嵌入工程と、所定位置まで嵌入された前記保持部材を前記固定基材に対する位置を規制する位置規制工程とを含むことを特徴とする。
【００１０】
この発明により、摺動面を構成する摺動面部材を保持する前記保持部材を、前記下沓で前記上沓を支持する支持方向に対して交差する交差方向から、前記建造物に固定する前記固定基材に対して嵌入し、所定位置まで嵌入された前記保持部材の前記固定基材に対する位置を規制できるため、前記上部建造物の底面と前記下部建造物の上面とのクリアランスを大きく変えることなく、前記上沓と前記下沓のうち少なくとも一方を所定位置に取り付けたり、取り外したりして、支承装置を着脱することができる。
【発明の効果】
【００１１】
本発明により、上部建造物の底面と下部建造物の上面とのクリアランスを大きく変えることなく、着脱可能な支承装置及びその取付方法を提供することができる。
【図面の簡単な説明】
【００１２】
【図１】支承装置の概略図。
【図２】支承装置の分解斜視図。
【図３】支承装置の底面側からの概略斜視図。
【図４】円形ベースポットの取付方法についての説明図。
【図５】円形ベースポットの取付方法についての説明図。
【図６】別の実施形態の支承装置の分解斜視図。
【図７】別の実施形態の支承装置の底面側からの概略斜視図。
【図８】角形ベースポットの取付方法についての説明図。
【図９】角形ベースポットの取付方法についての説明図。
【図１０】従来構造の支承構造の概略図。
【発明を実施するための形態】
【００１３】
この発明の一実施形態を以下図面と共に説明する。  
図１は支承装置１の概略図を示し、図２は支承装置１の分解斜視図を示し、図３は支承装置１の底面側からの概略斜視図を示し、図４及び図５は円形ベースポット３０の取付方法についての説明図を示している。
【００１４】
詳述すると、図１において、左半分は支承装置１の概略正面図を示し、右半分は支承装置１の概略断面図を示している。  
また、図４（ａ）は、ベースプレート４０に対して円形ベースポット３０を嵌入する前の状態の概略斜視図を示し、図４（ｂ）はベースプレート４０の嵌合溝４１に円形ベースポット３０の嵌合凸部３３ａが嵌入した状態の概略斜視図を示し、図４（ｃ）はベースプレート４０の嵌合溝４１における円形溝部４２までの嵌合凸部３３ａが嵌入した状態の概略斜視図を示し、図４（ｄ）はベースプレート４０の嵌合溝４１における円形溝部４２で円形ベースポット３０を回転させた位置規制状態の概略斜視図を示している。
【００１５】
また、図５（ａ）はベースプレート４０の嵌合溝４１に円形ベースポット３０の嵌合凸部３３ａが嵌入した状態の概略斜視図を示し、図５（ｂ）はベースプレート４０の嵌合溝４１における円形溝部４２まで円形ベースポット３０が嵌入した状態の概略斜視図を示し、図５（ｃ）はベースプレート４０の嵌合溝４１における円形溝部４２で円形ベースポット３０を回転させた位置規制状態の概略斜視図を示している。
【００１６】
図１乃至図３において、支承装置１は、下部建造物１００で上部建造物１１０を奥行方向Ｌ及び幅方向Ｗへ相対移動可能に支承する可動支承装置であり、上部建造物１１０の底面に固定した上沓２と、下部建造物１００の上面に固定した下沓３とで構成されている。
【００１７】
上部建造物１１０の底面に固定される上沓２は、上部建造物１１０の底面に固定される固定プレート２１、底面で上滑り面を構成するスライドプレート２２とで構成されている。  
下部建造物１００の上面に装着される下沓３は、下部建造物１００の上面に固定されるベースプレート４０と、ベースプレート４０に対して着脱自在に構成された円形ベースポット３０とで構成されている。
【００１８】
円形ベースポット３０は、ベースポット本体３３、弾性プレート３２、及びピストン３１で構成されている。  
ベースポット本体３３は、上面側に弾性プレート３２及びピストン３１が挿着される（挿入された状態で着脱自在に取り付けられる）挿着凹部３３ｂを有する鋼製の略円柱状体であり、底面において、底面視小判型の嵌合凸部３３ａが設けられている。また、図３の幅方向Ｗにおけるベースポット本体３３の両側周面の下部には、下向き三角形の三角表示３４が設けられている。
【００１９】
なお、三角表示３４及び後述する三角表示４３は、三角形に限定されるものでなく、ベースポット本体３３とベースプレート４０との位置関係を示すものであれば、その他の表示であってもよい。  
また、ベースプレート４０の側面に三角表示を設けてもよい。これにより、円形ベースポット３０を嵌入する際に、ベースポット本体３３に設けた三角表示３４とベースプレート４０の上面に設けた三角表示４３との一致を確認することが容易となる。
【００２０】
特に図３に示すように、嵌合凸部３３ａは、略円柱状体であるベースポット本体３３の直径に対して半分程度の幅の直線部分と、ベースポット本体３３の外周面と面一の円弧部分とで構成され底面視略小判型であり、ベースポット本体３３の底面より所定の高さ分下方に突出している。
【００２１】
また、嵌合凸部３３ａは、図２において奥行方向Ｌに延びており、両側周面の下部に設けた三角表示３４同士を結ぶ方向（図２において幅方向）と、嵌合凸部３３ａの延びる方向とは平面視において直交する関係となる。  
さらに、嵌合凸部３３ａの下方への突出量は、後述するベースプレート４０における嵌合溝４１の深さと同一又は嵌合溝４１の深さよりわずかに浅い高さで形成されている。
【００２２】
図１、図２に示すように、挿着凹部３３ｂは、後述するピストン３１及びベースポット本体３３よりわずかに大きな径の円筒状空間であり、本実施形態においてはベースポット本体３３の高さに対して１／３程度の深さで形成されている。
【００２３】
弾性プレート３２は、挿着凹部３３ｂよりわずかに小さな径の円形、且つ挿着凹部３３ｂの深さの半分程度の高さ（厚み）を有するゴム製の円盤状のプレートである。  
下沓３の摺動面として機能するピストン３１は、円盤状のステンレス製であり、摺動面を構成する一つの面に例えばＰＴＦＥ（ポリテトラフルオロエチレン）等のフッ素樹脂製のベアリングが取り付けられた円盤状体であり、自己潤滑性を有しており、表面の摩擦係数が低く設定されている。
【００２４】
上述のように構成されたベースポット本体３３、弾性プレート３２及びピストン３１は、ピストン３１と弾性プレート３２とを重ねて挿着凹部３３ｂに挿着することによって、ピストン３１がベースポット本体３３の上面から適宜の高さ分が突出する態様の円形ベースポット３０が構成される。  
なお、ピストン３１は、弾性プレート３２によって弾性支持された状態となる。
【００２５】
図１乃至図３に示すように、ベースプレート４０は、平面視正方形状の適宜の厚みを有する鋼製の板状体であり、円形ベースポット３０の嵌合凸部３３ａと嵌合する嵌合溝４１が上面に形成されており、下部建造物１００の上面に対してボルト結合するためのボルト孔（図示省略）が周縁部に設けられている。
【００２６】
嵌合溝４１は、ベースプレート４０の厚みに対して半分程度の深さと、平面視正方形を構成する一辺の１／３程度の幅を有し、奥行方向Ｌに貫通する断面矩形状の溝である。嵌合溝４１は、ベースポット本体３３の直径よりわずかに長い径であり、ベースポット本体３３が配置される円形溝部４２が平面視中央に形成されている。  
また、図２に示すように、円形溝部４２の幅方向Ｗの側方上面には、幅方向Ｗの内向き三角形の三角表示４３が設けられている。
【００２７】
それぞれが上述のように構成されるとともに、下沓３を構成するベースプレート４０と円形ベースポット３０とは、円形溝部４２に円形ベースポット３０が配置され、位置規制されることとなる。  
また、ベースプレート４０と円形ベースポット３０とは、図１に示すように、上沓２におけるスライドプレート２２の底面（支承装置１における上側摺動面）と、下沓３におけるピストン３１の上面（支承装置１における下側摺動面）とが摺動することで、スライドプレート２２とピストン３１とが対向する対向面方向（本実施形態において水平方向）に摺動可能な可動支承である支承装置１を構成することができる。
【００２８】
続いて、支承装置１の取付方法について図４及び図５とともに説明する。  
まず、図４（ａ）に示すように、上沓２を上部建造物１１０の底面に取り付けるともに、下沓３のベースプレート４０を下部建造物１００の上面に固定する。
【００２９】
この状態で、ベースポット本体３３の挿着凹部３３ｂに弾性プレート３２及びピストン３１をこの順で装着して円形ベースポット３０を構成するとともに、ベースプレート４０の嵌合溝４１の延長方向の外側（本実施形態では奥行方向Ｌ）に円形ベースポット３０を配置する。このとき、嵌合凸部３３ａが奥行方向Ｌに向くように（三角表示３４が幅方向Ｗを向くように）円形ベースポット３０を配置する。
【００３０】
そして、図４（ｂ）及び図５（ａ）に示すように、底面視小判型の嵌合凸部３３ａを奥行方向Ｌの嵌合溝４１に嵌合させ、円形溝部４２に向かって奥行方向Ｌにスライドさせる。このとき、ベースポット本体３３の幅方向Ｗの両側に設けた三角表示３４を幅方向Ｗの外側から確認することができる。
【００３１】
さらに、円形ベースポット３０をスライドさせて、図４（ｃ）及び図５（ｂ）に示すように、嵌合凸部３３ａの中心（ベースポット本体３３の中心）と円形溝部４２の中心とが略一致する所定位置まで円形ベースポット３０を嵌入させる。
【００３２】
なお、嵌合凸部３３ａの中心（ベースポット本体３３の中心）と円形溝部４２の中心とが略一致する所定位置では、ベースポット本体３３の幅方向Ｗの両側周面に設けた三角表示３４の下側の先端と、ベースプレート４０の上面に設けた三角表示４３の内側の先端とが略一致することとなる。
【００３３】
そして、ベースポット本体３３の幅方向Ｗの両側周面に設けた三角表示３４の下側の先端と、ベースプレート４０の上面に設けた三角表示４３の内側の先端とが略一致する所定位置まで嵌入された円形ベースポット３０を、ベースプレート４０に対する円形ベースポット３０の位置を規制するように、平面方向において９０度回転させる。
【００３４】
図４（ｄ）及び図５（ｃ）に示すように、円形溝部４２の内周面に外周面を沿わせて円形ベースポット３０を回転させることによって、底面視小判型の嵌合凸部３３ａは、平面視略円形状の円形溝部４２において幅方向Ｗに向くため、つまり嵌合凸部３３ａの幅方向Ｗの長さが嵌合溝４１より広くなるため、円形溝部４２によって嵌合凸部３３ａは奥行方向Ｌの移動が規制され、ベースプレート４０に対する円形ベースポット３０の位置を規制することができ、下沓３の組み付けが完了、すなわち支承装置１の取り付けは完了する。
【００３５】
逆に、支承装置１の解体は、上述した取付手順を逆に行って、まずベースプレート４０から円形ベースポット３０を取り外す。  
詳しくは、ベースプレート４０に対して所定位置で規制された円形ベースポット３０を９０度回転させる。これにより、幅方向Ｗに向いていた嵌合凸部３３ａは、嵌合溝４１の延長方向である奥行方向Ｌに向くため、嵌合溝４１に嵌合凸部３３ａを沿わせて円形ベースポット３０を奥行方向Ｌにスライドさせて取り外す。円形ベースポット３０を取り外した後は、上部建造物１１０の底面から上沓２を取り外し、下沓３のベースプレート４０を下部建造物１００の上面から取り外して、支承装置１の解体は完了する。  
なお、支承装置１全体を取り外さずとも、ピストン３１や弾性プレート３２を交換するために円形ベースポット３０のみをベースプレート４０から取り外してもよい。
【００３６】
このように、上部建造物１１０の底面に配置した上沓２、及び下部建造物１００の上面に配置した下沓３で構成されるとともに、上沓２及び下沓３の対向部分である摺動面が摺動する支承装置１において、下沓３が、下部建造物１００に固定されるベースプレート４０と、摺動面を構成するピストン３１と、ピストン３１を保持するベースポット本体３３とで構成され、下沓３で上沓２を支持する鉛直方向に対して交差する水平方向の外側から、ベースプレート４０に対してベースポット本体３３の嵌合凸部３３ａが嵌入される嵌合溝４１と、所定位置まで嵌入されたベースポット本体３３（円形ベースポット３０）のベースプレート４０に対する位置を規制する円形溝部４２とを備えるため、上部建造物１１０の底面と下部建造物１００の上面とのクリアランスを大きく変えることなく、円形ベースポット３０の交換や支承装置１の着脱をすることができる。
【００３７】
詳述すると、摺動面を構成するピストン３１を保持するベースポット本体３３（円形ベースポット３０）を、下沓３で上沓２を支持する支持方向に対して交差する交差方向から、建造物に固定するベースプレート４０に対して嵌入し、所定位置まで嵌入された円形ベースポット３０のベースプレート４０に対する位置を規制できるため、上部建造物１１０の底面と下部建造物１００の上面とのクリアランスを大きく変えることなく、下沓３を取り付けたり、取り外したりして、支承装置１を着脱することができる。
【００３８】
なお、上述の支持方向は、上下方向あるいは鉛直方向にわずかに交差する方向を含むものとし、上述の支持方向に対して交差する交差方向は、前記支持方向に対して交差していれば水平方向や、傾斜する方向を含むものとする。
【００３９】
また、交差方向の外部から所定位置まで延びる嵌合溝４１がベースプレート４０に設けられ、嵌合溝４１に対してスライド可能に嵌合する嵌合凸部３３ａがベースポット本体３３に設けられており、円形溝部４２によって、摺動面に平行な平行方向への嵌合凸部３３ａの回転移動により、別部材を用いることなく、ベースプレート４０に対する円形ベースポット３０の位置を規制することができる。
【００４０】
また、所定位置である円形溝部４２まで嵌入した円形ベースポット３０の回転移動によって円形ベースポット３０の位置を規制するため、奥行方向Ｌ方向に交差する方向に平行移動させて所定位置まで嵌入した円形ベースポット３０の位置を規制する場合に比べて、支承装置１自体をコンパクトに構成することができる。
【００４１】
また、嵌合凸部３３ａが回転可能な空間である円形溝部４２を嵌合溝４１に設けるという簡単な構成で、ベースプレート４０における所定位置まで円形ベースポット３０を案内できるとともに、所定位置まで案内された円形ベースポット３０の位置や移動を規制することができる。
【００４２】
また、円形ベースポット３０を嵌入する所定位置を明示する三角表示３４，４３をベースポット本体３３の幅方向Ｗの下部と、円形溝部４２の側方の上面に備えているため、ベースプレート４０に対する所定位置に円形ベースポット３０を確実に移動させて、当該所定位置で位置規制することができる。
【００４３】
また、図４（ｄ）に示すように、嵌合凸部３３ａの向きは外部から確認しがたいが、嵌合凸部３３ａの長手方向に対して交差する方向に設けた三角表示３４の位置を確認することで、円形ベースポット３０における嵌合凸部３３ａの向きを確認することができる。つまり、外部から円形ベースポット３０がベースプレート４０に対して位置規制された状態か、位置規制されていない状態かを容易に目視で確認することができる。
【００４４】
なお、上述の説明では、嵌合凸部３３ａ及び嵌合溝４１を、略円柱状体であるベースポット本体３３の直径に対して半分程度の幅を有するとともに、円弧部分がベースポット本体３３の外周面と面一で構成され略小判型に形成し、円形溝部４２をベースポット本体３３の直径よりわずかに長い径で形成したが、嵌合凸部３３ａ及び円形溝部４２をベースポット本体３３の直径よりも短くあるいは長く形成してもよいし、嵌合凸部３３ａをベースポット本体３３の直径の半分程度の幅で形成せず、直径の半分程度の幅より広く形成しても狭く形成してもよい。
【００４５】
しかしながら、嵌合凸部３３ａ及び円形溝部４２をベースポット本体３３の直径よりも短く形成したり、嵌合凸部３３ａ及び嵌合溝４１の幅をベースポット本体３３の直径の半分より狭く形成した場合、上沓２を介して上部建造物１１０の荷重を支持する下沓３の一部である円形ベースポット３０において、ベースプレート４０との当接面積が小さくなり、嵌合凸部３３ａ及び円形溝部４２の底面に作用する圧力が増大するため、部材強度を向上させる必要が出てくる。そのため、嵌合凸部３３ａ及び円形溝部４２はベースポット本体３３の直径の１／３以上の長さで形成し、嵌合凸部３３ａ及び嵌合溝４１をベースポット本体３３の直径の１／３以上の幅で形成することが好ましい。
【００４６】
また、嵌合凸部３３ａ及び円形溝部４２をベースポット本体３３の直径よりも長く形成すると、円形ベースポット３０を回転させるための面積が大きくなり、支承装置１が大型化することになる。  
また、嵌合凸部３３ａ及び円形溝部４２をベースポット本体３３の直径と同程度の長さで形成するとともに、嵌合凸部３３ａ及び嵌合溝４１の幅をベースポット本体３３の直径の半分より広く形成した場合、嵌合溝４１と嵌合凸部３３ａの側面との対向する面積が小さくなり、嵌合溝４１で奥行方向Ｌに案内されるベースポット本体３３の姿勢が安定しなくなるおそれがある。そのため、嵌合凸部３３ａ及び円形溝部４２はベースポット本体３３の直径の３／４以下の長さで形成し、嵌合凸部３３ａ及び嵌合溝４１をベースポット本体３３の直径の２／３以上の幅で形成することが好ましい。
【００４７】
また、上述の説明では、ベースポット本体３３が円形である円形ベースポット３０について説明したが、図６及び図７に示すように、略円柱状でない略四角柱状体の角形ベースポット１３０による支承装置１ａであってもよい。
【００４８】
支承装置１ａは、上述の支承装置１における円形ベースポット３０のベースポット本体３３が略円柱状であるのに対し、略四角柱状体であるベースポット本体１３３以外の構成については、支承装置１と同様であるため、同じ符号を付してその説明を省略する。
【００４９】
支承装置１ａの角形のベースポット本体１３３は、略四角柱状体であり、その底面に嵌合凸部３３ａと同様の底面視小判型の嵌合凸部１３３ａが設けられている。  
嵌合凸部１３３ａは、嵌合溝４１や円形溝部４２に対する大きさは嵌合凸部３３ａと同じであるが小判型の長手方向が底面視四角形のベースポット本体１３３の辺に対して平行な向きで配置されており、嵌合凸部１３３ａの中心と底面視四角形のベースポット本体１３３の中心とが略一致するように配置されている。
【００５０】
そして、ベースポット本体１３３の幅方向Ｗの側面の下部に下向き三角形状の三角表示１３４が設けられている。  
このように、略四角柱状の角形ベースポット１３０を有する支承装置１ａであっても、上述したような支承装置１と同様の効果を奏することができる。
【００５１】
また、上述の説明では、嵌合溝４１が奥行方向Ｌにベースプレート４０を貫通した態様であった、つまり円形溝部４２における奥行方向Ｌの両側に嵌合溝４１が配置されており、ベースプレート４０の奥行方向Ｌの奥側から円形ベースポット３０や角形ベースポット１３０を嵌入したが、例えば、ベースプレート４０の手前側から円形ベースポット３０や角形ベースポット１３０を嵌入してもよい。  
なお、上記各実施形態では、円形ベースポット３０や角形ベースポット１３０について説明してきたが、円形や角形に限定されるものではない。
【００５２】
また、図８（ａ）乃至図８（ｃ）に示すように、嵌合溝４１が奥行方向Ｌにベースプレート４０を貫通せず、円形溝部４２の片側のみに嵌合溝４１が配置されていてもよい。  
この場合、図８（ａ）に示すように、嵌合溝４１が配置された側の外側に円形ベースポット３０を配置し、図８（ｂ）に示すように、嵌合凸部３３ａを嵌合溝４１で円形溝部４２まで案内し、図８（ｃ）に示すように、円形溝部４２にて円形ベースポット３０を回転させて、円形溝部４２において円形ベースポット３０の位置を規制してもよい。
【００５３】
さらにまた、円形溝部４２にて円形ベースポット３０を９０度回転させたが、９０度まで回転させなくとも、円形ベースポット３０をある程度の角度まで回転させるだけで、嵌合凸部３３ａは円形溝部４２によって位置規制される。しかし、回転角度が少ない場合、何かの拍子に回転移動が戻り、円形溝部４２による位置規制が解消される可能性があるため、３０度以上１５０度以下で回転させることが好ましい。
【００５４】
なお、円形溝部４２を平面視円形に形成せずとも、ベースポット本体３３に形成された嵌合凸部３３ａを嵌入及び規制することができるものであれば、例えばひし形や多角形であってもよく、その形状は問わない。具体的には、例えば、図８（ｄ）乃至図８（ｆ）に示すように、奥行方向Ｌに対して斜め方向に向いた平面視略鼓形状の鼓形溝部４２ａを設けてよい。
【００５５】
この場合、図８（ｄ）に示すように、嵌合溝４１が配置された側に円形ベースポット３０を配置し、図８（ｅ）に示すように、嵌合凸部３３ａを嵌合溝４１で鼓形溝部４２ａまで案内し、図８（ｆ）に示すように、鼓形溝部４２ａにて円形ベースポット３０を鼓形溝部４２ａの形状に合わせて回転させて、鼓形溝部４２ａにおいて円形ベースポット３０の位置を規制してもよい。
【００５６】
また、単に、円形溝部４２で円形ベースポット３０を回転させて、円形溝部４２で円形ベースポット３０の位置を規制するだけでなく、図９（ａ）乃至図９（ｄ）に示すように、回転移動させた円形ベースポット３０を別部材で固定してもよい。
【００５７】
具体的には、ベースプレート４０における円形溝部４２の幅方向Ｗの側方に、外部から固定ピン５０を挿着できる挿着孔４４を設けるとともに、ベースポット本体３３における対応する円弧部分にも、固定ピン５０が挿入される挿入凹部３５を設ける。さらには、円形溝部４２における幅方向Ｗの中央における奥行方向Ｌにも三角表示４３ａを設ける。
【００５８】
図９（ａ）乃至図９（ｃ）に示すように、上述の説明通り、嵌合溝４１で嵌合凸部３３ａを円形溝部４２まで案内するとともに、円形溝部４２で回転させる。このとき、三角表示４３ａと円形ベースポット３０に設けた三角表示３４と合わせることによって、図９（ｃ）に示すように、挿入凹部３５と挿着孔４４との位置が略一致するため、挿着孔４４を貫通させて挿入凹部３５に固定ピン５０を挿入して、円形ベースポット３０の回転状態を固定することができる。
【００５９】
なお、円形ベースポット３０を回転移動させずとも、嵌合凸部３３ａの幅方向Ｗの側方に挿入凹部３５を設け、所定位置まで嵌入された円形ベースポット３０の嵌合凸部３３ａに設けられた挿入凹部３５に固定ピン５０を挿入してベースプレート４０に対する円形ベースポット３０の位置を位置規制するように構成してもよい。
【００６０】
以上、本発明の構成と、前述の実施態様との対応において、本実施形態の上部建造物は上部建造物１１０に対応し、
以下同様に、
上沓は上沓２に対応し、
下部建造物は下部建造物１００に対応し、
下沓は下沓３に対応し、
支承装置は支承装置１に対応し、
固定基材はベースプレート４０に対応し、
摺動面部材はピストン３１に対応し、
保持部材はベースポット本体３３に対応し、
嵌入手段は嵌合溝４１に対応し、
位置規制手段は嵌合凸部３３ａ及び円形溝部４２に対応し、
被嵌合部は嵌合溝４１に対応し、
嵌合部は嵌合凸部３３ａに対応し、
被嵌合溝は嵌合溝４１に対応し、
嵌合突出部は嵌合凸部３３ａに対応し、
明示手段は三角表示３４，４３に対応するも、上記実施形態に限定するものではない。
【００６１】
例えば、上述の説明では、下部建造物１００の上面において水平に固定したベースプレート４０に対して水平な嵌合溝４１を設けたが、円形溝部４２に向かって嵌合溝４１を傾斜させてもよい。  
また、嵌合溝４１及び円形溝部４２を有するベースプレート４０、並びに嵌合凸部３３ａを有する円形ベースポット３０を下沓３に設けたが、これらを上沓２に設けてもよいし、上沓２と下沓３の両方に設けてもよい。なお、嵌合溝４１及び円形溝部４２並びに嵌合凸部３３ａを有する円形ベースポット３０を上沓２に設ける場合、単に溝と凸部とを嵌合させてスライドさせるだけでなく、嵌合溝４１や円形溝部４２を被係合形状で構成するとともに、嵌合溝４１や円形溝部４２に係合できる係合形状で嵌合凸部３３ａを形成すればよい。
【００６２】
また、上述の説明では、ベースプレート４０に嵌合溝４１を形成し、ベースポット本体３３に嵌合凸部３３ａを形成する構成としたが、ベースプレート４０に嵌合凸部を形成し、ベースポット本体３３に嵌合溝を形成する構成としてもよい。この場合、嵌合溝が形成された円形ベースポット３０を嵌合凸部が形成されたベースプレート４０に嵌め入れることにより、円形ベースポット３０を所定の角度回転させることなく円形ベースポット３０の移動を抑制することができる。
【００６３】
また、上述の説明では、円形溝部４２で円形ベースポット３０を回転させて、その位置を位置規制したが、所定位置まで嵌入された円形ベースポット３０を幅方向Ｗに移動させて、その位置を位置規制するように構成してもよいし、円形溝部４２で円形ベースポット３０を回転させるとともに、さらに幅方向Ｗに移動させて、位置規制をより確実なものにするよう構成してもよい。
【００６４】
また、上沓２をベースプレート４０と円形ベースポット３０とで構成し、下沓３を固定プレート２１とスライドプレート２２とで構成して支承装置１を構成してもよい。  
さらにまた、ベースプレート４０を設けることなく、下部建造物１００の上面又は上部建造物１１０の底面のいずれかに嵌合溝４１及び円形溝部４２を形成してもよい。
【００６５】
また上述の説明では、嵌入手段としてベースプレート４０に対してベースポット本体３３を嵌入できるように、ベースプレート４０に嵌合溝４１及び円形溝部４２を形成するとともに、ベースポット本体３３の底面に嵌合凸部３３ａを設けたが、嵌合溝４１、円形溝部４２並びに嵌合凸部３３ａの代わりに、係合し合う被係合部と係合部などで構成してもよい。
【符号の説明】
【００６６】
１…支承装置
２…上沓
３…下沓
３１…ピストン
３３…ベースポット本体
３３ａ…嵌合凸部
３４，４３…三角表示
４０…ベースプレート
４１…嵌合溝
４２…円形溝部
１００…下部建造物
１１０…上部建造物
【図１】
2018071701.tif 000003
【図２】
2018071701.tif 000004
【図３】
2018071701.tif 000005
【図４】
2018071701.tif 000006
【図５】
2018071701.tif 000007
【図６】
2018071701.tif 000008
【図７】
2018071701.tif 000009
【図８】
2018071701.tif 000010
【図９】
2018071701.tif 000011
【図１０】
2018071701.tif 000012